(57)【特許請求の範囲】
【請求項１】
可搬型の放射線画像変換装置を相手装置として前記相手装置と自装置との間でレーザ光による双方向通信を行い前記可搬型の放射線画像変換装置から画像情報を読み出す画像読出装置として構成された電子機器であって、
レーザ光を射出する第１射出手段及び該第１射出手段から射出されるレーザ光を送信対象情報に応じて変調する第１変調手段を備えた相手装置の筐体と自装置の筐体との相対位置が、前記相手装置の前記第１射出手段から射出されたレーザ光が自装置の筐体の外面上に設けられた受光領域内に入射される通信可能位置に調整された状態で、前記受光領域内に入射されたレーザ光を検出し、レーザ光の検出結果から前記送信対象情報を復調することで、前記相手装置から前記送信対象情報を受信する受信手段と、
前記受信手段による前記相手装置からの前記送信対象情報の受信における受信状態の劣化を検出する受信状態検出手段と、
前記相手装置へ情報を送信可能な第１送信手段と、
レーザ光を射出する第２射出手段と、
前記第２射出手段から射出されるレーザ光を送信対象情報に応じて変調する第２変調手段と、
前記受信状態検出手段によって前記受信状態の劣化が検出された場合に、レーザ光の射出停止を指示する指示情報を前記第１送信手段によって前記相手装置へ送信させることで、前記相手装置からのレーザ光の射出を停止させると共に、前記第２射出手段からのレーザ光の射出を停止させ且つ自装置のレーザ光の射出停止後に警報を発するように制御する制御手段と、
を含む電子機器。
【請求項２】
可搬型の放射線画像変換装置を相手装置として前記相手装置と自装置との間でレーザ光による双方向通信を行い前記可搬型の放射線画像変換装置から画像情報を読み出す画像読出装置として構成された電子機器であって、
レーザ光を射出する第１射出手段及び該第１射出手段から射出されるレーザ光を送信対象情報に応じて変調する第１変調手段を備えた相手装置の筐体と自装置の筐体との相対位置が、前記相手装置の前記第１射出手段から射出されたレーザ光が自装置の筐体の外面上に設けられた受光領域内に入射される通信可能位置に調整された状態で、前記受光領域内に入射されたレーザ光を検出し、レーザ光の検出結果から前記送信対象情報を復調することで、前記相手装置から前記送信対象情報を受信する受信手段と、
前記受信手段による前記相手装置からの前記送信対象情報の受信における受信状態の劣化を検出する受信状態検出手段と、
レーザ光を射出する第２射出手段と、
前記第２射出手段から射出されるレーザ光を送信対象情報に応じて変調する第２変調手段と、
前記受信手段が前記相手装置から前記送信対象情報を正常に受信している間、前記相手装置へ所定の情報を定期的に送信する第２送信手段と、
前記相手装置は、前記所定の情報を定期的に受信している間、前記送信対象情報に応じて変調したレーザ光を前記射出手段から射出する構成であり、
前記受信状態検出手段によって前記受信状態の劣化が検出された場合に、前記第２送信手段による前記相手装置への前記所定の情報の送信を停止させることで、前記相手装置からのレーザ光の射出を停止させると共に、前記第２射出手段からのレーザ光の射出を停止させ且つ自装置のレーザ光の射出停止後に警報を発するように制御する制御手段と、
を含む電子機器。
【請求項３】
前記受信手段が前記相手装置からの前記送信対象情報の受信を開始する前に、前記受信手段を介して前記相手装置を識別するための識別情報を取得し、取得された識別情報に基づいて前記相手装置が正規の装置か否かを確認する確認手段を更に備え、
前記制御手段は、前記相手装置が正規の装置でない場合に、前記相手装置からのレーザ光の射出を停止させると共に、前記第２射出手段からのレーザ光の射出を停止させ且つ自装置のレーザ光の射出停止後に警報を発するように制御する、
請求項１又は請求項２に記載の電子機器。
【請求項４】
前記受信手段が前記相手装置からの前記送信対象情報の受信を開始する前に、前記相手装置と前記自装置との間で前記送信対象情報の送受信に使用されるレーザ光より出力が小さい低出力レーザ光による通信を行い、
前記受信手段が自装置の筐体の外面上に設けられた受光領域内に入射された低出力レーザ光を検出することで、相手装置の筐体と自装置の筐体との相対位置が通信可能位置に調整された状態に在ることを検出する、
請求項１から請求項３までのいずれか１項に記載の電子機器。
【請求項５】
前記受信状態検出手段は、前記受信手段によって検出されたレーザ光の光量が閾値以下になった場合に、前記受信状態が劣化したと判断する、請求項１から請求項４までのいずれか１項に記載の電子機器。
【請求項６】
前記受信状態検出手段は、前記相手装置の筐体と自装置の筐体との相対位置が前記通信可能位置に調整され、かつ、前記受光領域内にレーザ光が入射されている状態で、前記受信手段によって検出されたレーザ光の光量に基づいて基準値を設定し、設定した前記基準値よりも所定値小さい値を前記閾値として用いる、請求項５に記載の電子機器。
【請求項７】
前記受信状態検出手段は、前記受信手段が前記相手装置からの前記送信対象情報の受信を開始した時点で前記受信手段によって検出されたレーザ光の光量、又は、前記受信手段が前記相手装置からの前記送信対象情報の受信を開始してから所定時間が経過する迄の期間に前記受信手段によって検出されたレーザ光の光量を代表する値を前記基準値として設定する、請求項６に記載の電子機器。
【請求項８】
前記受信状態検出手段は、前記受信手段による前記相手装置からの前記送信対象情報の受信において前記受信手段によって検出されたエラー率が閾値以上になった場合に、前記受信状態が劣化したと判断する、請求項１から請求項４までのいずれか１項に記載の電子機器。
【請求項９】
前記受信状態検出手段は、前記相手装置の筐体と自装置の筐体との相対位置が前記通信可能位置に調整され、かつ、前記受光領域内にレーザ光が入射されている状態で、前記受信手段によって検出されたエラー率に基づいて基準値を設定し、設定した前記基準値よりも所定値大きい値を前記閾値として用いる、請求項８に記載の電子機器。
【請求項１０】
前記受信状態検出手段は、前記受信手段が前記相手装置からの前記送信対象情報の受信を開始した時点で前記受信手段によって検出されたエラー率、又は、前記受信手段が前記相手装置からの前記送信対象情報の受信を開始してから所定時間が経過する迄の期間に前記受信手段によって検出されたエラー率を代表する値を前記基準値として設定する、請求項９に記載の電子機器。
【請求項１１】
前記レーザ光は可視域外の波長の非可視レーザ光である、請求項１から請求項１０までのいずれか１項に記載の電子機器。
【請求項１２】
前記非可視レーザ光は赤外域の波長のレーザ光である、請求項１１に記載の電子機器。
【発明の詳細な説明】
【技術分野】
【０００１】
本発明は電子機器に係り、特に、送信対象情報に応じて変調したレーザ光によって相手装置との情報の送受を行う電子機器に関する。
【背景技術】
【０００２】
最近、赤外の波長域のレーザ光を用いて非常に高い伝送速度（例えば１Ｇｂ／ｓ）での無線通信を実現する技術が提案されている（非特許文献１参照）。この技術を適用すれば、任意の電子機器の間でのデータの送受において、少なくとも一方の電子機器が可搬性を有し、かつ大量のデータを送受する場合にも、データの送受を行う電子機器同士を通信ケーブル等を介して接続したりすることなく、大量のデータの送受を短時間で完了させることが可能となり、既存の機器同士の無線通信における通信時間の大幅な短縮を実現できたり、従来は無線通信でのデータの送受を想定していなかった機器間の大量データの送受が無線通信で実現できたり等、様々な用途への適用が期待される。
【０００３】
例えば特許文献１には、放射検出器及び画像メモリを内蔵し、放射検出器によって検出された放射線画像を画像データとして画像メモリに格納しておき、画像メモリから読み出した画像データを無線信号に変換して外部の信号処理回路へ出力する構成の放射線検出器用カセッテ（可搬型放射線画像変換装置であり、以下、電子カセッテとよぶこともある）が開示されている。医療現場には、電波が放射される環境に設置することが望ましくない機器が多数存在していることから、上記のカセッテに好適な無線通信としては、従来、ＩｒＤＡ（Ｉｎｆｒａｒｅｄ  Ｄａｔａ  Ａｓｓｏｃｉａｔｉｏｎ）の規格に準拠した赤外線通信等に限られていたが、ＩｒＤＡの規格に準拠した赤外線通信は通信速度が１１５ｋｂ／ｓ〜６Ｍｂ／ｓ程度であるのに対し、この種の医療用機器では、読影に悪影響を及ぼすことを回避するために画像データを圧縮する場合も圧縮率の低い可逆圧縮が選択されるので、画像データの転送に非常に長い時間を要することになる。このため、上記のカセッテにおける無線通信として前述のレーザ光による通信を適用すれば、画像データ転送時間の大幅な短縮が実現できる。
【０００４】
なお上記に関連し、レーザ光を取り扱う機器における安全性を向上させる技術として、特許文献２には、リードフレームに設けられるレーザーダイオードと、レーザーダイオードの光出力分布拡大及び出力調整を行う調整手段としての透明樹脂部とを備えた構成の光通信モジュールにおいて、透明樹脂部を、レーザーダイオードを封止する透明樹脂と、この透明樹脂に添加されて透明樹脂の全部に略均一に分布し、光の透過及び拡散機能を発揮するガラスフィラーを含んで構成する技術が開示されている。
【特許文献１】特許第３４９４６８３号公報
【特許文献２】特開２００７−８１１３４公報
【非特許文献１】株式会社ＫＤＤＩ研究所、”携帯電話を用いた伝送速度1Gbit/s 赤外線ワイヤレス通信の実現”、[online]、[平成２０年１月２１日検索]、インターネット＜ＵＲＬ：http://www.kddilabs.jp/press/img/83_1.pdf＞
【発明の開示】
【発明が解決しようとする課題】
【０００５】
電子機器同士がレーザ光を用いた無線通信を行う態様において、少なくとも一方の電子機器が可搬性を有している場合、双方の電子機器をレーザ光による無線通信が可能な位置関係に配置した状態で無線通信を行うことになるが、少なくとも一方の電子機器が可搬性を有していることで、レーザ光による通信の最中に電子機器の筐体に押圧力や振動等が加わった等の場合に双方の電子機器の相対位置が変化し、この相対位置の変化に伴って、双方の電子機器で挟まれた空間からレーザ光が漏出する可能性があった。
【０００６】
これに対して特許文献２に記載の技術は、レーザーダイオードからの光がガラスフィラーによって屈折を繰り返すことで、光通信モジュールの光出力分布の拡大及び光通信モジュールの光出力量の低下を実現する技術であり、レーザ光による通信中の電子機器の相対位置が変化した場合のレーザ光の漏出防止には何ら寄与しない。
【０００７】
本発明は上記事実を考慮して成されたもので、レーザ光による通信中に装置同士の相対位置が変化した場合のレーザ光の漏出を防止する電子機器を得ることが目的である。
【課題を解決するための手段】
【０００８】
上記目的を達成するために、本発明の電子機器は、可搬型の放射線画像変換装置を相手装置として前記相手装置と自装置との間でレーザ光による双方向通信を行い前記可搬型の放射線画像変換装置から画像情報を読み出す画像読出装置として構成された電子機器であって、レーザ光を射出する第１射出手段及び該第１射出手段から射出されるレーザ光を送信対象情報に応じて変調する第１変調手段を備えた相手装置の筐体と自装置の筐体との相対位置が、前記相手装置の前記第１射出手段から射出されたレーザ光が自装置の筐体の外面上に設けられた受光領域内に入射される通信可能位置に調整された状態で、前記受光領域内に入射されたレーザ光を検出し、レーザ光の検出結果から前記送信対象情報を復調することで、前記相手装置から前記送信対象情報を受信する受信手段と、前記受信手段による前記相手装置からの前記送信対象情報の受信における受信状態の劣化を検出する受信状態検出手段と、前記相手装置へ情報を送信可能な第１送信手段と、レーザ光を射出する第２射出手段と、前記第２射出手段から射出されるレーザ光を送信対象情報に応じて変調する第２変調手段と、前記受信状態検出手段によって前記受信状態の劣化が検出された場合に、レーザ光の射出停止を指示する指示情報を前記第１送信手段によって前記相手装置へ送信させることで、前記相手装置からのレーザ光の射出を停止させると共に、前記第２射出手段からのレーザ光の射出を停止させ且つ自装置のレーザ光の射出停止後に警報を発するように制御する制御手段と、を含んで構成されている。
【０００９】
本発明によれば、受信手段は、レーザ光を射出する第１射出手段、及び当該第１射出手段から射出されるレーザ光を送信対象情報に応じて変調する第１変調手段を備えた相手装置の筐体と自装置の筐体との相対位置が、相手装置の第１射出手段から射出されたレーザ光が自装置の筐体の外面上に設けられた受光領域内に入射される通信可能位置に調整された状態で、受光領域内に入射されたレーザ光を検出し、レーザ光の検出結果から前記送信対象情報を復調することで、相手装置から送信対象情報を受信する。
【００１０】
レーザ光は可視域外の波長の非可視レーザ光とするとよい。さらに、非可視レーザ光は赤外域の波長のレーザ光とするとよい。
【００１１】
また、相手装置は、可搬型放射線画像変換パネル、撮像装置、携帯電話機の何れかである。
【００１２】
受信状態検出手段は、受信手段による相手装置からの送信対象情報の受信における受信状態の劣化を検出する。
【００１３】
制御手段は、受信状態検出手段によって受信状態の劣化が検出された場合に警報を発するか、又は、前記相手装置からのレーザ光の射出を停止させる。
【００１４】
受信状態検出手段は、受信手段によって検出されたレーザ光の光量が閾値以下になった場合に、受信状態が劣化したと判断するとよい。
【００１５】
この場合、受信状態検出手段は、相手装置の筐体と自装置の筐体との相対位置が通信可能位置に調整され、かつ、受光領域内にレーザ光が入射されている状態で、受信手段によって検出されたレーザ光の光量に基づいて基準値を設定し、設定した前記基準値よりも所定値小さい値を閾値として用いるとよい。
【００１６】
さらに、受信状態検出手段は、受信手段が相手装置からの送信対象情報の受信を開始した時点で受信手段によって検出されたレーザ光の光量、又は、受信手段が相手装置からの送信対象情報の受信を開始してから所定時間が経過する迄の期間に受信手段によって検出されたレーザ光の光量を代表する値を基準値として設定するとよい。代表する値としては、例えば、レーザ光を検出している期間におけるレーザ光の光量の最大値、平均値、レーザ光の光量のヒストグラム上で最大値又は最小値からの累積頻度が所定値に達するときの光量値の何れかを適用してもよい。
【００１７】
また、受信状態検出手段は、受信手段による相手装置からの送信対象情報の受信において受信手段によって検出されたエラー率が閾値以上になった場合に、受信状態が劣化したと判断してもよい。
【００１８】
この場合、受信状態検出手段は、相手装置の筐体と自装置の筐体との相対位置が通信可能位置に調整され、かつ、受光領域内にレーザ光が入射されている状態で、受信手段によって検出されたエラー率に基づいて基準値を設定し、設定した前記基準値よりも所定値大きい値を閾値として用いるとよい。
【００１９】
さらに、受信状態検出手段は、受信手段が相手装置からの送信対象情報の受信を開始した時点で受信手段によって検出されたエラー率、又は、受信手段が相手装置からの送信対象情報の受信を開始してから所定時間が経過する迄の期間に受信手段によって検出されたエラー率を代表する値を基準値として設定するとよい。代表する値としては、例えば、エラー率を検出している期間におけるエラー率の最大値、平均値、エラー率のヒストグラム上で最大値又は最小値からの累積頻度が所定値に達するときのエラー率値の何れかを適用してもよい。
【００２０】
また、本発明の電子機器は、相手装置へ情報を送信可能な第１送信手段を備え、制御手段は、レーザ光の射出停止を指示する指示情報を第１送信手段によって相手装置へ送信させることで、相手装置からのレーザ光の射出を停止させるとよい。
【００２１】
さらに、本発明の電子機器を、受信手段が相手装置から送信対象情報を正常に受信している間、相手装置へ所定の情報を定期的に送信する第２送信手段を備え、相手装置は、所定の情報を定期的に受信している間、送信対象情報に応じて変調したレーザ光を射出手段から射出する構成として、制御手段は、第２送信手段による相手装置への前記所定の情報の送信を停止させることで、相手装置からのレーザ光の射出を停止させてもよい。
【００２２】
また、本発明の電子機器は、レーザ光を射出する第２射出手段と、第２射出手段から射出されるレーザ光を送信対象情報に応じて変調する第２変調手段と、を更に備え、相手装置とレーザ光によって双方向の通信を行う構成であり、制御手段は、相手装置からのレーザ光の射出を停止させる場合に、第２射出手段からのレーザ光の射出も停止させるとよい。
【発明の効果】
【００２３】
以上説明したように本発明は、相手装置からの送信対象情報の受信における受信状態の劣化が検出された場合に、警報を発するか、又は、相手装置からのレーザ光の射出を停止させるようにしたので、レーザ光による通信中に装置同士の相対位置が変化した場合のレーザ光の漏出を防止できる、という優れた効果を有する。
【発明を実施するための最良の形態】
【００２４】
以下、図面を参照して本発明の実施の形態の一例を詳細に説明する。
（第１の実施の形態）
図１には、本実施の形態に係る放射線画像取扱システム１０が示されている。放射線画像取扱システム１０は、可搬性を有し、画像情報を担持した放射線が照射される毎に前記画像情報を画像データに変換して蓄積記憶可能な可搬型放射線画像変換装置である電子カセッテ１２（３０）と、電子カセッテ１２（３０）に蓄積記憶された画像データを読み出し可能な画像読出装置８４から構成されている。なお、電子カセッテ１２（３０）、及び画像読出装置８４は本発明に係る電子機器に各々対応している。
【００２５】
図２（Ａ）に示すように、電子カセッテ１２は、放射線画像の撮影時に、エックス線（Ｘ線）等の放射線を発生する放射線発生部１４と間隔を空けて配置される。このときの放射線発生部１４と電子カセッテ１２との間は被写体１６が位置するための撮影位置とされており、放射線画像の撮影が指示されると、放射線発生部１４は予め与えられた撮影条件等に応じた放射線量の放射線を射出する。放射線発生部１４から射出された放射線は、撮影位置に位置している被写体１６を透過することで画像情報を担持した後に電子カセッテ１２に照射される。
【００２６】
図２（Ｂ）に示すように、電子カセッテ１２は、放射線Ｘを透過させる材料から成り厚みを有する平板状のケーシング（筐体）２０によって覆われており、ケーシング２０の内部には、ケーシング２０のうち放射線Ｘが照射される照射面２２側から順に、被写体１６を透過することに伴って生ずる放射線Ｘの散乱線を除去するグリッド２４、放射線Ｘを検出する放射線検出器（放射線検出パネル）２６、及び放射線Ｘのバック散乱線を吸収する鉛板２８が配設されている。なお、ケーシング２０の照射面２２をグリッド２４で構成してもよい。また、ケーシング２０の内部の一端側には、マイクロコンピュータを含む各種回路（後述）を収容するケース３０が配置されている。ケース３０内部に収容された各種回路が放射線Ｘの照射に伴って損傷することを回避するため、ケース３０の照射面２２側には鉛板等を配設しておくことが望ましい。
【００２７】
電子カセッテ１２の放射線検出器２６は、図１に示すＴＦＴアクティブマトリクス基板３２上に、放射線を吸収し、電荷に変換する光電変換層が積層されて構成されている。光電変換層は例えばセレンを主成分（例えば含有率５０％以上）とする非晶質のａ−Ｓｅ（アモルファスセレン）から成り、放射線が照射されると、照射された放射線量に応じた電荷量の電荷（電子−正孔の対）を内部で発生することで、照射された放射線を電荷へ変換する。また、ＴＦＴアクティブマトリクス基板３２上には、光電変換層で発生された電荷を蓄積する蓄積容量３４と、蓄積容量３４に蓄積された電荷を読み出すためのＴＦＴ３６を備えた画素部４０（図１では個々の画素部４８に対応する光電変換層を光電変換部３８として模式的に示している）がマトリクス状に多数個配置されており、電子カセッテ１２への放射線の照射に伴って光電変換層で発生された電荷は、個々の画素部４０の蓄積容量３４に蓄積される。これにより、電子カセッテ１２に照射された放射線に担持されていた画像情報は電荷情報へ変換されて放射線検出器２６に保持される。
【００２８】
また、ＴＦＴアクティブマトリクス基板３２には、一定方向（行方向）に延設され個々の画素部４０のＴＦＴ３６をオンオフさせるための複数本のゲート配線４２と、ゲート配線４２と直交する方向（列方向）に延設されオンされたＴＦＴ３６を介して蓄積容量３４から蓄積電荷を読み出すための複数本のデータ配線４４が設けられている。個々のゲート配線４２はゲート線ドライバ４６に接続されており、個々のデータ配線４４は信号処理部４８に接続されている。個々の画素部４０の蓄積容量３４に電荷が蓄積されると、個々の画素部４０のＴＦＴ３６は、ゲート線ドライバ４６からゲート配線４２を介して供給される信号により行単位で順にオンされ、ＴＦＴ３６がオンされた画素部４０の蓄積容量３４に蓄積されている電荷は、電荷信号としてデータ配線４４を伝送されて信号処理部４８に入力される。従って、個々の画素部４０の蓄積容量３４に蓄積されている電荷は行単位で順に読み出される。
【００２９】
図示は省略するが、信号処理部４８は、個々のデータ配線４４毎に設けられた増幅器及びサンプルホールド回路を備えており、個々のデータ配線４４を伝送された電荷信号は増幅器で増幅された後にサンプルホールド回路に保持される。また、サンプルホールド回路の出力側にはマルチプレクサ、Ａ／Ｄ変換器が順に接続されており、個々のサンプルホールド回路に保持された電荷信号はマルチプレクサに順に（シリアルに）入力され、Ａ／Ｄ変換器によってデジタルの画像データへ変換される。信号処理部４８には画像メモリ５０が接続されており、信号処理部４８のＡ／Ｄ変換器から出力された画像データは画像メモリ５０に順に記憶される。画像メモリ５０は複数フレーム分の画像データを記憶可能な記憶容量を有しており、放射線画像の撮影が行われる毎に、撮影によって得られた画像データが画像メモリ５０に順次記憶される。
【００３０】
また、電子カセッテ１２は画像読出装置８４との間でレーザ光による無線通信を行う機能を有しており、レーザ光源としてのＬＤ（レーザダイオード）５２と、外部から入射されたレーザ光を検出するＰＤ（フォトダイオード）５６を備えている。なお、電子カセッテ１２と画像読出装置８４との間の通信の高速化のために、ＬＤ５２は赤外域の波長のレーザ光を射出するＬＤ、ＰＤ５６は赤外域の波長に感度を有するＰＤであることが好ましい。本実施の形態では、図３（Ａ）に示すように、電子カセッテ１２のケーシング２０のうちの特定の側面６０（この側面は、画像読出装置８４との通信時に画像読出装置８４のケーシングと対向するように配置されるので、以下では「対向面６０」と称する）に、ＬＤ５２から射出されたレーザ光が通過するための射出孔６２と、外部（例えば画像読出装置８４）からのレーザ光が通過するための受光孔６４が各々設けられている。なお図３（Ａ）では、射出孔６２及び受光孔６４が設けられる対向面６０として、照射面２２の短辺と接する側面を適用しているが、これに限られるものではなく、照射面２２の長辺と接する側面であってもよいし、底面（照射面２２と反対側の面）等であってもよい。
【００３１】
ＬＤ５２から射出されたレーザ光は、ＬＤ５２のレーザ光射出側に配置されたレンズ５４（図１参照）を透過し、射出孔６２を通過してケーシング２０外へ射出され、外部からのレーザ光は、受光孔６４を通過し、ＰＤ５６の光入射側に配置されたレンズ５８（図１参照）を透過してＰＤ５６で受光される。また、電子カセッテ１２のケーシング２０の対向面６０のうち、受光孔６４（及び射出孔６２）の周囲を含む一部領域は、照射されたレーザ光を互いに異なる複数の方向へ各々反射することで、照射されたレーザ光の反射光を拡散させることが可能な拡散部材６６で覆われている。なお、上記の一部領域は、拡散部材６６に代えて、照射されたレーザ光の大半を吸収する吸収部材（例えば植毛部材や多孔質材、表面が黒色の部材等）で覆うようにしてもよい。また、画像読出装置８４との間の通信の高速化を考慮すると、当該通信に用いるレーザ光は可視域外の波長の非可視レーザ光（例えば赤外レーザ光）であることが望ましいが、この場合、上記の一部領域を、非可視レーザ光の照射に伴い、照射された部分が可視域の光を発する発光部材で覆うようにしてもよい。
【００３２】
拡散部材６６としては、例えば画像読出装置８４から射出されるレーザ光（後述）が照射された際の照射領域以下の面積の微小領域内に、照射された光に対する反射方向が互いに異なる複数の部分が各々存在するように表面が整形された部材を適用することができる。これにより、照射されたレーザ光の反射光を確実に拡散させることができる。また拡散部材６６としては、照射されるレーザ光の波長のおよそ１／１０以下の大きさで、半球形状の凸部が表面に一様に分布するように表面が整形された部材が最も望ましい。上記のように、個々の凸部を半球形状とすることで入射角度依存性を低減することができ、個々の凸部の大きさをレーザ光の波長のおよそ１／１０以下とすることで、レイリー散乱の領域となり照射されたレーザ光をより顕著に散乱させることができる。
【００３３】
ＬＤ５２は変調部６８を介して通信制御部７２に接続されている。通信制御部７２はマイクロコンピュータによって実現され、画像読出装置８４への情報の送信時に、送信対象の情報を変調部６８へ出力すると共に、ＬＤ５２から射出するレーザ光の強度を変調部６８へ指示する。変調部６８は、ＬＤ５２から射出されるレーザ光を入力された送信対象情報に応じて所定の変調方式で変調すると共に、ＬＤ５２から射出されるレーザ光の強度が指示された強度に一致するようにＬＤ５２の駆動を制御する。これにより、ＬＤ５２からは、送信対象情報に応じて変調されたレーザ光が、通信制御部７２から指示された強度で射出される。
【００３４】
また、ＰＤ５６は復調部７０を介して通信制御部７２に接続されている。復調部７０は、外部からのレーザ光がＰＤ５６で受光され、レーザ光の受光量に応じた受光量信号がＰＤ５６から入力されると、入力された受光量信号に基づいて、受光されたレーザ光が担持している情報（通信相手の装置から送信された情報）を所定の復調方式で復調し、復調した情報を通信制御部７２へ出力する。通信制御部７２は後述するデータ転送処理（図５）を行う。
【００３５】
さらに、ＰＤ５６は復調部７０を介して受光量検出部７４に接続されている。受光量検出部７４は、受信状態の検出の一形態としてＰＤ５６によるレーザ光の受光量を検出する。レーザ光の受光量の検知結果は、後述する位置変化監視部８０へ出力する。
【００３６】
また、電子カセッテ１２には距離センサ７６が設けられている。本実施の形態では、距離センサ７６として、発光素子、及び受光素子を備え、発光素子で光が射出されてから、射出された光が対象物で反射されて受光素子で受光される迄の時間を計測し、計測した時間に基づいて対象物との距離を検出する構成を適用している。図３（Ａ）に示すように、電子カセッテ１２のケーシング２０の対向面６０には検出孔７８が設けられており、距離センサ７６の発光素子から射出された光は検出孔７８を通過して対向面６０の前方に存在する対象物へ照射され、対象物で反射された光は検出孔７８を通過して受光素子で受光される。
【００３７】
通信制御部７２、受光量検出部７４、及び距離センサ７６は位置変化監視部８０に接続されている。位置変化監視部８０もマイクロコンピュータによって実現される。詳細は後述するが、位置変化監視部８０は、自装置（電子カセッテ１２）と画像読出装置８４との通信時に、受光量検出部７４によって検出されたレーザ光の受光量や、距離センサ７６によって検出された距離の変化等を監視することで、自装置（電子カセッテ１２）と画像読出装置８４との相対位置の変化を監視する位置変化監視処理（図６）を行う。
【００３８】
また、電子カセッテ１２には電源部８２が設けられており、上述した各種回路や各素子（ゲート線ドライバ４６、信号処理部４８、画像メモリ５０、通信制御部７２や位置変化監視部８０として機能するマイクロコンピュータ、変調部６８、ＬＤ５２、ＰＤ５６、復調部７０、距離センサ７６等）は、電源部８２から供給された電力によって作動する。電源部８２としては、電子カセッテ１２の可搬性を損なわないように、バッテリ（充電可能な二次電池）を内蔵し、充電されたバッテリから各種回路・素子へ電力を供給する構成が好適であるが、バッテリとして一次電池を用いてもよいし、商用電源に常時接続され商用電源から供給された電力を整流、変圧して各種回路・素子へ電力を供給する構成であってもよい。
【００３９】
一方、画像読出装置８４も電子カセッテ１２との間でレーザ光による無線通信を行う機能を有し、レーザ光源としてのＬＤ８６と、外部から入射されたレーザ光を検出するＰＤ９０を備えている。なお、電子カセッテ１２と画像読出装置８４との間の通信の高速化のために、電子カセッテ１２と同様、ＬＤ８６は赤外域の波長のレーザ光を射出するＬＤ、ＰＤ９０は赤外域の波長に感度を有するＰＤであることが好ましい。本実施の形態では、図３（Ｂ）に示すように、画像読出装置８４の外部を覆うケーシング９４のうちの特定の側面９６（この側面は、電子カセッテ１２との通信時に電子カセッテ１２のケーシングと対向するように配置され、以下「対向面９６」と称する）に、ＬＤ８６から射出されたレーザ光が通過するための射出孔９８と、外部（例えば電子カセッテ１２）からのレーザ光が通過するための受光孔１００が各々設けられている。なお、対向面９６に設けられた射出孔９８、及び受光孔１００は、間隔、及びケーシング９４の底面からの高さが、電子カセッテ１２のケーシング２０の対向面６０に設けられた射出孔６２、及び受光孔６４の間隔及びケーシング２０の底面からの高さとそれぞれ等しくされており、電子カセッテ１２の対向面６０と画像読出装置８４の対向面９４を向かい合わせた状態（図３（Ｃ）に示す状態）で、受光孔１００が射出孔６２と対向し、射出孔９８が受光孔６４と対向するように配置されている。
【００４０】
ＬＤ８６から射出されたレーザ光は、ＬＤ８６のレーザ光射出側に配置されたレンズ８８（図１参照）を透過し、射出孔９８を通過してケーシング９４外へ射出され、外部からのレーザ光は、受光孔１００を通過し、ＰＤ９０の光入射側に配置されたレンズ９２（図１参照）を透過してＰＤ９０で受光される。また、画像読出装置８４のケーシング９４の対向面９６のうち、受光孔１００（及び射出孔９８）の周囲を含む一部領域は、電子カセッテ１２と同様に拡散部材１０２で覆われている。なお、拡散部材１０２に代えて前述の吸収部材や発光部材を設けてもよい。
【００４１】
ＬＤ８６は変調部１０４を介して通信制御部１０８に接続されている。通信制御部１０８はマイクロコンピュータによって実現され、電子カセッテ１２への情報の送信時に、送信対象の情報を変調部１０４へ出力すると共に、ＬＤ８６から射出するレーザ光の強度を変調部１０４へ指示する。変調部１０４は、ＬＤ８６から射出されるレーザ光を入力された送信対象情報に応じて所定の変調方式で変調すると共に、ＬＤ８６から射出されるレーザ光の強度が指示された強度に一致するようにＬＤ８６の駆動を制御する。これにより、ＬＤ８６からは、送信対象情報に応じて変調されたレーザ光が、通信制御部１０８から指示された強度で射出される。
【００４２】
また、ＰＤ９０は復調部１０６を介して通信制御部１０８に接続されている。復調部１０６は、外部からのレーザ光がＰＤ９０で受光され、レーザ光の受光量に応じた受光量信号がＰＤ９０から入力されると、入力された受光量信号に基づいて、受光されたレーザ光が担持している情報（通信相手の装置から送信された情報）を所定の復調方式で復調し、復調した情報を通信制御部１０８へ出力する。通信制御部１０８は後述するデータ読出処理（図４）を行う。
【００４３】
さらに、ＰＤ９０は復調部１０６を介して受光量検出部１１０に接続されている。受光量検出部１１０は、ＰＤ９０によるレーザ光の受光量を検出する。レーザ光の受光量の検出結果は、後述する位置変化監視部１１６へ出力する。
【００４４】
また、画像読出装置８４にも距離センサ１１２が設けられている。本実施の形態では、距離センサ１１２として、前述した距離センサ７６と同様に、発光素子から射出された光が対象物で反射されて受光素子で受光される迄の時間に基づいて対象物との距離を検出する構成を適用している。図３（Ｂ）に示すように、画像読出装置８４のケーシング９４の対向面９６にも検出孔１１４が設けられており、距離センサ１１２の発光素子から射出された光は検出孔１１４を通過して対向面９６の前方に存在する対象物へ照射され、対象物で反射された光は検出孔１１４を通過して受光素子で受光される。通信制御部１０８、受光量検出部１１０、及び距離センサ１１２は位置変化監視部１１６に接続されている。位置変化監視部１１６もマイクロコンピュータによって実現される。詳細は後述するが、位置変化監視部１１６は、電子カセッテ１２の位置変化監視部８０と同じく位置変化監視処理（図６）を行う。
【００４５】
通信制御部１０８には操作部１１８が接続されている。操作部１１８は、図２（Ｂ）に示すように、ケーシング９４に設けられ各種のメッセージを含む任意の情報を表示可能なディスプレイ１２０と、同じくケーシング９４に設けられ複数のキーを備えたキーボード１２２を含んで構成されている。利用者がキーボード１２２を操作することで入力された各種の指示や情報は通信制御部１０８に入力され、ディスプレイ１２０への情報表示は通信制御部１０８によって制御される。
【００４６】
また、通信制御部１０８には画像処理部１２４を介して画像メモリ１２６が接続されている。電子カセッテ１２と画像読出装置８４との通信では、後述のように、電子カセッテ１２の画像メモリ５０に蓄積記憶されている画像データが画像読出装置８４へ転送されるが、画像処理部１２４は電子カセッテ１２から受信されて通信制御部１０８から順次出力される画像データに対して各種の画像処理（例えば画像データに重畳されたノイズを除去したり、放射線検出器２６の各画素部４０の特性のばらつきに起因する画像データの画素毎のばらつきを補正する各種の補正処理等）を行い、各種の画像処理を行った画像データを画像メモリ１２６に記憶させる。
【００４７】
画像メモリ１２６には出力制御部１２８が接続されている。出力制御部１２８は、画像メモリ１２６に記憶された画像データを外部機器へ出力する際に、画像メモリ１２６からの画像データの読み出し、及び外部機器への画像データの出力を制御する。図１には外部機器の典型例としてのディスプレイ１３０が示されており、外部機器がディスプレイ１３０である場合、画像メモリ１２６に記憶されている画像データが表す画像（放射線画像）が、出力制御部１２８によってディスプレイ１３０に表示される。なお、外部機器としては、ディスプレイ１３０以外に、例えば画像データが表す画像をシート状の印刷媒体に印刷する印刷装置や、画像データをＣＤ−Ｒや公知の他の情報記録媒体に記録する情報記録装置、通信ネットワークを介して接続された情報処理機器へ画像データを送信する通信装置等が挙げられる。
【００４８】
図１では画像読出装置８４の電源部の図示を省略しているが、当該電源部は商用電源に常時接続され、商用電源から供給された電力を整流、及び変圧して画像読出装置８４内の各種回路・素子へ電力を供給する構成とされている。
【００４９】
次に本実施の形態の作用として、電子カセッテ１２と画像読出装置８４との通信について説明する。放射線画像の撮影が行われることで電子カセッテ１２の画像メモリ５０に記憶されている画像データをディスプレイ１３０に画像として表示する等の利用を所望している場合、利用者は、前記画像データを画像読出装置８４によって電子カセッテ１２から読み出させるために、電子カセッテ１２を、対向面６０が画像読出装置８４の対向面９４と向かい合うように（図３（Ｃ）に示す状態となるように）配置し、それぞれの端面を揃える等の配置位置の微調整を行った後に、画像読出装置８４のキーボード１２２を操作して電子カセッテ１２からの画像データの読み出しを指示する。
【００５０】
画像読出装置８４の通信制御部１０８では、利用者によって上記の操作が行われて、電子カセッテ１２からの画像データの読み出しが指示されると、図４に示すデータ読出処理を行う。このデータ読出処理では、まずステップ１５０において、変調部１０４を介してＬＤ８６から微小出力のレーザ光を射出させる。次のステップ１５２では、ＰＤ９０でレーザ光が受光されたか否か判定する。判定が否定された場合はステップ１５４へ移行し、ＬＤ８６からのレーザ光の射出を開始させてから所定時間が経過したか否か判定する。この判定も否定された場合はステップ１５２に戻り、何れかの判定が肯定される迄ステップ１５２，１５４を繰り返す。
【００５１】
ＬＤ８６から射出された微小出力のレーザ光は、射出孔９８を通過して画像読出装置８４のケーシング９４の外へ射出されるが、このレーザ光が受光孔６４を通過して電子カセッテ１２のケーシング２０内へ入射され、ＰＤ５６によって検出（検知）された場合には、後述するように電子カセッテ１２のＬＤ５２からも微小出力のレーザ光が射出され、このレーザ光がＰＤ９０によって受光されるので、ＬＤ８６からのレーザ光の射出を開始させてから所定時間が経過してもＰＤ９０でレーザ光が受光されずにステップ１５４の判定が肯定された場合、電子カセッテ１２と画像読出装置８４との相対位置が通信可能な位置関係（電子カセッテ１２及び画像読出装置８４が、相手装置から射出されたレーザ光を各々受光できる位置）から外れており、相対位置の調整が必要と判断できる。
【００５２】
このため、ステップ１５４の判定が肯定された場合はステップ１９０でＬＤ８６からのレーザ光の射出を停止させ、次のステップ１９２において、相対位置の調整を要請するエラーメッセージをディスプレイ１２０に表示させる等により、相対位置の調整作業の実行を利用者に促した後にデータ読出処理（図４）を終了する。なお、電子カセッテ１２と画像読出装置８４の相対位置が通信可能な位置関係から大きく外れている場合、画像読出装置８４から射出されたレーザ光は、電子カセッテ１２の対向面６０と画像読出装置８４の対向面９６に挟まれた空間から漏出する可能性があるが、このとき画像読出装置８４のＬＤ８６から射出されているレーザ光は光量（光強度）が微小であるので問題は生じない。
【００５３】
一方、電子カセッテ１２と画像読出装置８４の相対位置が通信可能な位置関係にあり、画像読出装置８４から射出された微小出力のレーザ光が電子カセッテ１２のＰＤ５６で受光（検知）された場合は、ＰＤ５６によるレーザ光の検知をトリガとして、電子カセッテ１２の通信制御部７２では図５に示すデータ転送処理を行う。このデータ転送処理では、まずステップ２００において、変調部６８を介してＬＤ５２から微小出力のレーザ光を射出させる。ＬＤ５２から射出された微小出力のレーザ光は、射出孔６２を通過して電子カセッテ１２のケーシング２０の外へ射出されるが、このレーザ光が受光孔１００を通過して画像読出装置８４のケーシング９４内へ入射され、ＰＤ９０によって検出（検知）された場合には、データ読出処理（図４）のステップ１５２の判定が肯定され、ステップ１５６へ移行する。
【００５４】
このステップ１５２の判定が肯定された場合、画像読出装置８４のＬＤ８６から射出された微小出力のレーザ光が電子カセッテ１２のＰＤ５６で検出（検知）され、かつ電子カセッテ１２のＬＤ５２から射出された微小出力のレーザ光が画像読出装置８４のＰＤ９０で検出（検知）されているので、電子カセッテ１２と画像読出装置８４の相対位置は、ＬＤ８６から射出されたレーザ光がＰＤ５６の受光面の中央、又はその付近に入射され、ＬＤ５２から射出されたレーザ光もＰＤ９０の受光面の中央、又はその付近に入射される、通信可能な最適な位置関係にあると判断できる。
【００５５】
続いてデータ読出処理（図４）のステップ１５６、及びデータ転送処理（図５）のステップ２０２では、自装置からレーザ光によって所定の情報を送信する（自装置のＬＤから射出されるレーザ光を所定の情報に応じて変調させる）と共に、相手装置からレーザ光によって受信した情報（相手装置のＬＤから射出されて自装置のＰＤで受光されたレーザ光を復調することで得られた情報）の内容を確認することで、相手装置が正規の装置か否かを確認する相手装置確認処理を行う。なお、相手装置確認処理で電子カセッテ１２が画像読出装置８４へ送信する情報としては、個々の電子カセッテ１２を識別するためのカセッテＩＤ等の情報が挙げられ、画像読出装置８４が電子カセッテ１２へ送信する情報としては、自装置が画像読出装置であることを表す情報等が挙げられる。
【００５６】
データ読出処理（図４）では、次のステップ１５８で相手装置が正規の装置か否かを判定しており、この判定が否定された場合は、ステップ１９０でＬＤ８６からのレーザ光の射出を停止させ、次のステップ１９２において、相手装置が正規の装置でないことを通知するエラーメッセージをディスプレイ１２０に表示させる等のエラー処理を行い、データ読出処理（図４）を終了する。また、データ転送処理（図５）においても、次のステップ２０４で相手装置が正規の装置か否かを判定し、この判定が否定された場合は、ステップ２３６でＬＤ５２からのレーザ光の射出を停止させてデータ転送処理（図５）を終了する。
【００５７】
また、データ読出処理（図４）において、相手装置が正規の装置（電子カセッテ１２）であると判断した場合には、ステップ１５８の判定が肯定されてステップ１６０へ移行し、ＬＤ８６からのレーザ光出力を通常の通信時の値に設定する。次のステップ１６２では、相手装置に対してデータ転送を要求する情報をレーザ光によって相手装置へ送信する。またステップ１６４では、位置変化監視部１１６に対して位置変化監視処理（図６）の実行開始を指示する。なお、この位置変化監視処理については後述する。ステップ１６６では相手装置から転送されたデータを受信したか否か判定する。判定が否定された場合はステップ１６８へ移行し、データ転送の完了が相手装置から通知されたか否か判定する。この判定も否定された場合はステップ１７０へ移行し、相手装置との通信の中止が位置変化監視部１１６から指示されたか否か判定する。この判定も否定された場合はステップ１６６に戻り、何れかの判定が肯定される迄ステップ１６６〜ステップ１７０を繰り返す。
【００５８】
一方、データ転送処理（図５）において、相手装置が正規の装置（画像読出装置８４）であると判断した場合には、ステップ２０４の判定が肯定されてステップ２０６へ移行し、相手装置からデータ転送を要求する情報を受信したか否か判定し、判定が肯定される迄ステップ２０６を繰り返す。画像読出装置８４で図４のステップ１６２の処理が行われることでデータ転送を要求する情報を受信すると、ステップ２０６の判定が肯定されてステップ２０８へ移行し、ＬＤ５２からのレーザ光出力を通常の通信時の値に設定する。またステップ２１０では、位置変化監視部８０に対して位置変化監視処理(図６)の実行開始を指示する。次のステップ２１２では、画像読出装置８４へ転送すべき転送対象の画像データの画像メモリ５０からの読み出しを試行する。
【００５９】
次のステップ２１４では、転送対象の画像データ（画像読出装置８４へ未転送の画像データ）が画像メモリ５０に記憶されているか否か判定する。判定が肯定された場合はステップ２１６へ移行し、画像メモリ５０からの読み出しに成功した転送対象の画像データをレーザ光によって相手装置（画像読出装置８４）へ送信する。ステップ２１８では画像読出装置８４から応答を受信したか否か判定する。この判定が否定された場合はステップ２２０へ移行し、相手装置との通信の中止が位置変化監視部８０から指示されたか否か判定する。この判定も否定された場合はステップ２１８に戻り、何れかの判定が肯定される迄ステップ２１８，２２０を繰り返す。
【００６０】
上記のように電子カセッテ１２からレーザ光によって画像データが送信され、この画像データが画像読出装置８４によって受信されると、データ読出処理（図４）のステップ１６６の判定が肯定されてステップ１７２へ移行し、相手装置（電子カセッテ１２）から受信した画像データを後段（本実施の形態では画像処理部１２４）へ出力する。これにより、画像読出装置８４で受信された画像データは、画像処理部１２４によって各種の画像処理が行われた後に画像メモリ１２６に記憶される。次のステップ１７４では、相手装置（電子カセッテ１２）のデータ送信に対する応答をレーザ光によって送信し、ステップ１６６へ戻る。この応答が相手装置（電子カセッテ１２）で受信されることで、データ転送処理（図５）のステップ２１８の判定が肯定され、ステップ２１２に戻る。このように、電子カセッテ１２の画像メモリ５０に転送対象の画像データが記憶されている間は、データ読出処理（図４）ではステップ１６６〜ステップ１７４が繰り返され、データ転送処理（図５）ではステップ２１２〜ステップ２２０が繰り返されることで、画像読出装置８４への画像データの転送が継続される。
【００６１】
また、画像メモリ５０に記憶されている画像データを全て画像読出装置８４へ送信すると、データ転送処理（図５）のステップ２１４の判定が否定されてステップ２３０へ移行し、データ転送の完了をレーザ光によって相手装置（画像読出装置８４）へ通知する。またステップ２３２ではＬＤ５２からのレーザ光の射出を停止させる。そしてステップ２３４では、位置変化監視部８０に対して位置変化監視処理（図６）の終了を指示し、データ転送処理（図５）を終了する。また、電子カセッテ１２からデータ転送の完了が通知されると、データ読出処理（図４）では、ステップ１６８の判定が肯定されてステップ１７６へ移行し、ＬＤ８６からのレーザ光の射出を停止させる。そしてステップ１７８では、位置変化監視部１１６に対して位置変化監視処理（図６）の終了を指示し、データ読出処理（図４）を終了する。
【００６２】
続いて、電子カセッテ１２の位置変化監視部８０、及び画像読出装置８４の位置変化監視部１１６によって各々実行される位置変化監視処理について説明する。電子カセッテ１２と画像読出装置８４との通信は、先にも説明したように、電子カセッテ１２と画像読出装置８４との相対位置が通信可能な位置関係に調整された状態（図３（Ａ）に示す状態）で開始されるが、例えば電子カセッテ１２のケーシング２０、及び画像読出装置８４のケーシング９４の少なくとも一方に押圧力や振動等が加わった等の場合、通信の途中で前記相対位置が通信可能な位置関係から外れる可能性がある。そしてこの場合、電子カセッテ１２や画像読出装置８４から射出されたレーザ光が、電子カセッテ１２の対向面６０と画像読出装置８４の対向面９６に挟まれた空間から漏出する可能性があるので望ましくない。このため、位置変化監視部８０、８４は、電子カセッテ１２と画像読出装置８４との通信が開始されると、自装置の通信制御部からの指示により位置変化監視処理の実行を開始し、電子カセッテ１２と画像読出装置８４との通信が行われている間、位置変化監視処理の実行を継続することで、電子カセッテ１２と画像読出装置８４との相対位置の変化を監視する。
【００６３】
すなわち、図６に示すように、位置変化監視処理では、まずステップ２５０において、データ転送開始直後、かつＰＤがレーザ光を受光しているタイミングで自装置の受光量検出部によって検出されたＰＤのレーザ光の受光量（レーザ受光量検出値Ｐ）を取得する。このときは電子カセッテ１２と画像読出装置８４との相対位置が通信可能な位置関係に調整された直後のタイミングであるので、ステップ２５０で取得したレーザ受光量検出値Ｐは、電子カセッテ１２と画像読出装置８４との相対位置が通信可能な位置関係に調整された状態でのＰＤにおけるレーザ光の受光量を表している。なお、レーザ受光量検出値Ｐとしては、ＰＤがレーザ光を受光している期間におけるレーザ光の受光量の最大値、平均値、レーザ光の受光量のヒストグラム上で最大値又は最小値からの累積頻度が所定値に達するときの受光量値の何れを適用してもよく、電子カセッテ１２と画像読出装置８４との相対位置が通信可能な位置関係に調整された状態でのＰＤのレーザ受光量を代表する値であれば他の値を用いることも可能である。次のステップ２５２では、ステップ２５０で取得したレーザ受光量検出値ＰをＰＤのレーザ受光量の基準値Ｐｒｅｆとして内蔵メモリに記憶させる（図７（Ａ）も参照）。
【００６４】
またステップ２５４では、自装置に設けられた距離センサによって検出された相手装置との現在の距離（距離検出値Ｌ）を距離センサから取得する。この距離検出値Ｌは、電子カセッテ１２と画像読出装置８４との相対位置が通信可能な位置関係に調整された状態での、距離センサの配設位置における相手装置のケーシングとの距離を表している。次のステップ２５６では、ステップ２５４で取得した距離検出値Ｌを相手装置との距離の基準値Ｌｒｅｆとして内蔵メモリ等に記憶させる（図８（Ａ）も参照）。
【００６５】
次のステップ２５８では、自装置の受光量検出部によって検出されたＰＤの最新のレーザ受光量（レーザ受光量検出値Ｐ）を再度取得する。次のステップ２６０では、ステップ２５８で取得したレーザ受光量検出値Ｐが、レーザ受光量の基準値Ｐｒｅｆから所定値βを減算した値以下（Ｐ≦Ｐｒｅｆ−β）か否か判定する。なお、所定値βの大きさは、レーザ受光量検出値Ｐとして先に列挙した各値（最大値や最小値等）の何れを用いるかに応じて切り替えることができる。この判定が否定された場合、ＰＤのレーザ光の受光量の低下は許容範囲内と判断できるので、ステップ２６２へ移行し、自装置の距離センサによって検出された相手装置との現在の距離（距離検出値Ｌ）を距離センサから再度取得し、次のステップ２６４では、ステップ２６２で取得した距離検出値Ｌが、相手装置との距離の基準値Ｌｒｅｆに所定値αを加算した値以上（Ｌ≧Ｌｒｅｆ＋α）か否か判定する。ステップ２６４の判定が否定された場合は、距離センサに配設位置における相手装置との距離の変化は許容範囲内と判断できるので、ステップ２６６へ移行し、自装置の通信制御部から位置監視処理の終了が指示されたか否か判定する。この判定も否定された場合はステップ２５８へ戻る。
【００６６】
これにより、ステップ２６０，２６４，２６６の何れかの判定が肯定される迄、ステップ２５８〜ステップ２６６が繰り返され、レーザ受光量検出値Ｐの変化、及び距離検出値Ｌの変化が監視される。電子カセッテ１２と画像読出装置８４との通信が行われている間、電子カセッテ１２と画像読出装置８４との相対位置が変化しないか、又は相対位置の変化量が微小であった場合には、ステップ２６０，２６４の判定が肯定されることなく自装置の通信制御部から位置監視処理の終了が指示されることで、ステップ２６６の判定が肯定され、位置変化監視処理を終了する。
【００６７】
一方、電子カセッテ１２のケーシング２０、及び画像読出装置８４のケーシング９４の少なくとも一方に押圧力や振動等が加わった等により、電子カセッテ１２と画像読出装置８４との通信が行われている間に、電子カセッテ１２と画像読出装置８４との相対位置が、図７（Ａ）に示す状態から図７（Ｂ）に示す状態へ変化した場合（比較的大きな相対位置の変化が生じた場合）には、図７（Ｂ）に示すように、電子カセッテ１２や画像読出装置８４から射出されたレーザ光が相手装置のＰＤの受光面の中央から大きく外れることで、電子カセッテ１２の対向面６０と画像読出装置８４の対向面９６に挟まれた空間からレーザ光が漏出する可能性が生ずる。
【００６８】
これに対し、ＰＤのレーザ受光量は、ＰＤに入射されるレーザ光の光軸位置の変化に対して図７（Ｃ）に示すように変化し、受光領域に中央位置に対するレーザ光の光軸位置の偏倚量が大きくなるに従って、ＰＤのレーザ受光量は大きく減衰する。電子カセッテ１２と画像読出装置８４との相対位置が比較的大きく変化すると、図７（Ｂ）に示すように、電子カセッテ１２、及び画像読出装置８４のＰＤへのレーザ光の入射位置が受光領域の中心から大きく外れ、レーザ受光量検出値Ｐが大幅に減少することで先のステップ２６０の判定が肯定される。従って、レーザ受光量検出値Ｐを監視することによって、レーザ光の漏出に繋がる可能性がある電子カセッテ１２と画像読出装置８４との相対位置の変化を検知することができる。
【００６９】
また、電子カセッテ１２と画像読出装置８４との相対位置が比較的大きく変化すると、それに伴い距離センサ配設位置における相手装置のケーシングとの距離（図８（Ｂ）に示す実線の矢印の長さ）も変化し、図８（Ｂ）の例では２本の実線矢印のうち図上で上方に位置している側の実線矢印に対応する距離検出値Ｌが大幅に増大することで、先のステップ２６４の判定が肯定される。従って、距離検出値Ｌを監視することでも、レーザ光の漏出に繋がる可能性がある電子カセッテ１２と画像読出装置８４との相対位置の変化を検知することができる。そしてステップ２６０、又はステップ２６４の判定が肯定された場合はステップ２６８へ移行し、自装置の通信制御部へ通信中止を指示した後に位置変化監視処理を終了する。
【００７０】
ここで、画像読出装置８４の位置変化監視部１１６が通信制御部１０８へ通信中止を指示した場合、データ読出処理（図４）のステップ１７０の判定が肯定されてステップ１８０へ移行し、通信中止が相手装置からの指示か否か判定する。この例では通信中止の指示元が自装置の位置変化監視部１１６であるので、判定が否定されてステップ１８２へ移行し、レーザ光によって相手装置（電子カセッテ１２）へ通信中止を指示する。またステップ１８６では、ＬＤ８６からのレーザ光の射出を停止させ、次のステップ１８８において、通信中止をその理由（ケーシングが大きく動いたこと）と共に通知するエラーメッセージをディスプレイ１２０に表示させる等のエラー処理を行い、データ読出処理（図４）を終了する。また、画像読出装置８４から通信中止が指示された電子カセッテ１２では、データ転送処理（図５）のステップ２２０の判定が肯定されてステップ２２２へ移行し、通信中止が相手装置からの指示か否か判定する。この例では判定が肯定されてステップ２２６へ移行し、位置変化監視部８０に対して位置変化監視処理（図６）の終了を指示する。そしてステップ２２８でＬＤ５２からのレーザ光の射出を停止させ、データ転送処理（図５）を終了する。
【００７１】
また、電子カセッテ１２の位置変化監視部８０が通信制御部７２へ通信中止を指示した場合には、データ転送処理（図５）のステップ２２０の判定が肯定されると共に、ステップ２２２の判定が否定されてステップ２２４へ移行し、レーザ光によって相手装置（画像読出装置８４）へ通信中止を指示する。そしてステップ２２８でＬＤ５２からのレーザ光の射出を停止させ、データ転送処理（図５）を終了する。また、電子カセッテ１２から通信中止が指示された画像読出装置８４では、ステップ１８４で位置変化監視部１１６に対して位置変化監視処理（図６）の終了を指示する。そして、ステップ１８６でＬＤ８６からのレーザ光の射出を停止させ、ステップ１８８で前述のエラー処理を行ってデータ読出処理（図４）を終了する。
【００７２】
上記処理により、レーザ光の漏出に繋がる可能性がある電子カセッテ１２と画像読出装置８４との相対位置の変化を、電子カセッテ１２の位置変化監視部８０、及び画像読出装置８４の位置変化監視部１１６の何れが検知した場合にも、電子カセッテ１２からのレーザ光の射出及び画像読出装置８４からのレーザ光の射出が各々停止されることになる。
（第２の実施の形態）
次に本発明の第２の実施の形態を説明する。なお、第１の実施の形態と同一の部分には同一の符号を付し、説明を省略する。第１の実施の形態では、レーザ光の受信量から受信状態の検出を行ったが、第１の実施の形態では、受信した情報のエラー率から受信状態の検出を行う。
【００７３】
本第２の実施の形態は、図９に示すように電子カセッテ１２にエラー率検出部１３２が、画像読出装置８４にエラー率検出部１３４が各々設けられている点で第１の実施の形態と相違している。
【００７４】
電子カセッテ１２に設けられたエラー率検出部１３２は、復調部７０に接続されている。エラー率検出部１３２は、復調部７０により復調された情報が入力され、復調された情報の中の誤り情報の比率（以下、「エラー率」とよぶ）を求める。エラー率検出部１３２は位置変化監視部８０に接続されており、求めたエラー率を位置変化監視部８０へ出力する。
【００７５】
位置変化監視部８０は、自装置（電子カセッテ１２）と画像読出装置８４との通信時に、エラー率検出部１３２によって求められたエラー率や、距離センサ７６によって検出された距離の変化等を監視することで、自装置（電子カセッテ１２）と画像読出装置８４との相対位置の変化を監視する位置変化監視処理（図１０）を行う。
【００７６】
画像読出装置８４に設けられたエラー率検出部１３４は、復調部１０６に接続されている。エラー率検出部１３４は、復調部１０６により復調された情報が入力され、エラー率を求める。エラー率検出部１３４は位置変化監視部１１６に接続されており、エラー率を位置変化監視部１１６へ出力する。
【００７７】
位置変化監視部１１６は、電子カセッテ１２の位置変化監視部８０と同じく位置変化監視処理（図１０）を行う。
【００７８】
次に、本第２の実施の形態に係る位置変化監視部８０，１１６によって行われる位置変化監視処理について、図１０を参照して第１の実施の形態と異なる部分についてのみ説明する。本第２の実施の形態に係る位置変化監視処理では、ＰＤのレーザ受光量に基づいて電子カセッテ１２と画像読出装置８４との相対位置の変化を検知することに代えて、復調した情報のエラー率に基づいて電子カセッテ１２と画像読出装置８４との相対位置の変化を検知している。
【００７９】
すなわち、本第２の実施の形態に係る位置変化監視処理では、データ転送開始直後かつＰＤがレーザ光を受光しているタイミングで、自装置に設けられたエラー率検出部によって検出されたエラー率Ｅをエラー率検出部から取得する。このときは電子カセッテ１２と画像読出装置８４との相対位置が通信可能な位置関係に調整された直後のタイミングであるので、ステップ２５１で取得したエラー率Ｅは、電子カセッテ１２と画像読出装置８４との相対位置が通信可能な位置関係に調整された状態でのエラー率を表している。
【００８０】
なお、エラー率Ｅとしては、ＰＤがレーザ光を受光している期間におけるエラー率検出部により検出された最小値、平均値、検出値のヒストグラム上で最大値又は最小値からの累積頻度が所定値に達するときのエラー率の何れを適用してもよく、電子カセッテ１２と画像読出装置８４との相対位置が通信可能な位置関係に調整された状態でのエラー率検出部により検出されるエラー率を代表する値であれば他の値を用いることも可能である。次のステップ２５３では、ステップ２５１で取得したエラー率Ｅをエラー率検出部のエラー率の基準値Ｅｒｅｆとして内蔵メモリ等に記憶させた後に、距離センサから距離検出値Ｌを取得し(ステップ２５４)、取得した距離検出値Ｌを相手装置との距離の基準値Ｌｒｅｆとして記憶させ(ステップ２５６)る。
【００８１】
また、本第２実施形態に係る位置変化監視処理では、ステップ２５９において、自装置のエラー率検出部における最新のエラー率Ｅを再度取得する。次のステップ２６１では、ステップ２５９で取得したエラー率Ｅが、エラー率の基準値Ｅｒｅｆに所定値γを加算した値以上（Ｅ≧Ｅｒｅｆ＋γ）か否か判定する。なお、所定値γの大きさについても、エラー率Ｅとして先に列挙した各値（最大値や最小値等）の何れを用いるかに応じて切り替えることができる。ステップ２６１の判定が否定された場合は、エラー率が増大していたとしても、その増大量が許容範囲内と判断できるので、距離検出値Ｌを距離センサから再度取得し（ステップ２６２）、取得した距離検出値Ｌが「Ｌ≧Ｌｒｅｆ＋α」を満足しない場合（ステップ２６４の判定が否定された場合）に、ステップ２６６へ移行する。
【００８２】
このように、電子カセッテ１２と画像読出装置８４との通信が行われている間はステップ２５９〜ステップ２６６が繰り返され、エラー率Ｅの変化、及び距離検出値Ｌの変化が監視されるが、この間、電子カセッテ１２と画像読出装置８４との相対位置が変化しないか、又は相対位置の変化量が微小であった場合には、エラー率Ｅ、及び距離検出値Ｌも変化しないか、又は変化量が微小であるので、ステップ２６１（及びステップ２６４）の判定が肯定されることなく自装置の通信制御部から位置監視処理の終了が指示されることで、位置変化監視処理を終了する。
【００８３】
なお、エラー率として、相手装置へ情報の再送信を要求した頻度や、受信した情報に対して誤り訂正を行った頻度等を採用してもよい。
（第３の実施の形態）
次に本発明の第３の実施の形態を説明する。なお、第１の実施の形態と同一の部分には同一の符号を付し、説明を省略する。第１の実施の形態では、レーザ光の射出停止を指示する指示情報を相手装置へ送信することで、相手装置からのレーザ光の射出を停止させた。これに対し、第３の実施の形態では、相手装置へ定期的に無線信号を送信し、相手装置は、定期的に無線信号を受信している間、レーザ光を射出する。すなわち、相手装置への定期的な無線信号の送信を停止させることで、相手装置からのレーザ光の射出を停止させる。
【００８４】
本実施の形態は、図１１に示すように、電子カセッテ１２に無線送信部１３６、及び無線受信部１３８が、画像読出装置８４に無線送信部１４０、及び無線受信部１４２が各々設けられている。無線送信部１３６，１４０の各々は、例えば赤外線等の無線信号を送信し、無線受信部１３８，１４２は、相手装置の無線送信部から送信された無線信号を受信する。
【００８５】
本実施の形態では、図１２（Ａ）に示すように、電子カセッテ１２のケーシング２０の対向面６０に、無線送信部１３６から送信された無線信号が通過するための射出孔１３７と、相手装置からの無線信号が通過するための受光孔１３９が各々設けられている。なお図１２（Ａ）では、射出孔１３７、及び受光孔１３９が設けられる対向面６０として、照射面２２の短辺と接する側面を適用しているが、これに限られるものではなく、照射面２２の長辺と接する側面であってもよいし、底面（照射面２２と反対側の面）等であってもよい。
【００８６】
無線送信部１３６から送信された無線信号は、射出孔１３７を通過してケーシング２０外へ射出され、相手装置からの無線信号は、受光孔１３９を通過し、無線受信部１３８で受信される。
【００８７】
無線送信部１３６、及び無線受信部１３８は通信制御部７２に接続されている。通信制御部７２は、ＬＤ５２によりレーザ光を照射させる間、定期的に無線送信部１３６から無線信号が送信されるように制御すると共に、無線受信部１３８によって相手装置から送信された定期的な無線信号を正常に受信しなくなったときに、ＬＤ８６によるレーザ光の照射を停止させるように制御する。
【００８８】
図１２（Ｂ）に示すように、画像読出装置８４の外部を覆うケーシング９４の対向面９６に、無線送信部１４０から送信された無線信号が通過するための射出孔１４１と、外部（例えば電子カセッテ１２）からの無線信号が通過するための受光孔１４３が各々設けられている。
【００８９】
無線送信部１４０から送信された無線信号は、射出孔１４１を通過してケーシング９４外へ射出され、相手装置からの無線信号は、受光孔１４３を通過し、無線受信部１４２で受信される。
【００９０】
無線送信部１４０、及び無線受信部１４２は通信制御部１０８に接続されている。通信制御部１０８は、ＬＤ８６によりレーザ光を照射させる間、定期的に無線送信部１４０から無線信号が送信されるように制御すると共に、無線受信部１４２によって相手装置から送信された定期的な無線信号を正常に受信しなくなったときに、ＬＤ８６によるレーザ光の照射を停止させるように制御する。
【００９１】
次に、本第３の実施の形態に係る画像読出装置８４の通信制御部１０８によって行われるデータ読出処理について、図１３を参照して説明するとともに、本第３の実施の形態に係る電子カセッテ１２の通信制御部７２によって行なわれるデータ転送処理について、図１４を参照して説明する。なお、以下では、第１の実施の形態と異なる部分についてのみ説明する。
【００９２】
データ読出処理（図１３）における、ステップ１６４において、位置変化監視部１１６に対して位置変化監視処理（図６）の実行開始を指示した後は、ステップ３００へ移行する。ステップ３００では、無線送信部１４０に定期的に無線信号を送信することを指示する。
【００９３】
次のステップ３０２では相手装置から転送されたデータを受信したか否か判定する。判定が否定された場合はステップ３０４へ移行し、データ転送の完了が相手装置から通知されたか否か判定する。この判定も否定された場合はステップ３０６へ移行し、相手装置との通信の中止が位置変化監視部１１６から指示されたか否か判定する。この判定も否定された場合はステップ３０８へ移行し、相手装置から定期的に無線信号を受信しているか否かを判定し、この判定が肯定された場合はステップ３０２に戻り、ステップ３０２，３０４，３０６の判定が肯定、又はステップ３０８の判定が否定される迄ステップ３０２〜ステップ３０８を繰り返す。
【００９４】
一方、データ転送処理（図１４）における、ステップ２１０において、位置変化監視部８０に対して位置変化監視処理（図６）の実行開始を指示した後は、ステップ３５０へ移行する。ステップ３５０では、無線送信部１３６に定期的に無線信号を送信することを指示する。
【００９５】
次のステップ３５２では、画像読出装置８４へ転送すべき転送対象の画像データの画像メモリ５０からの読み出しを試行する。
【００９６】
次のステップ３５４では、転送対象の画像データ（画像読出装置８４へ未転送の画像データ）が画像メモリ５０に記憶されているか否か判定する。判定が肯定された場合はステップ３５６へ移行し、画像メモリ５０からの読み出しに成功した転送対象の画像データをレーザ光によって相手装置（画像読出装置８４）へ送信する。ステップ３５８では画像読出装置８４から応答を受信したか否か判定する。この判定が否定された場合はステップ３６０へ移行し、相手装置との通信の中止が位置変化監視部８０から指示されたか否か判定する。この判定も否定された場合はステップ３６２へ移行し、相手装置から定期的に無線信号を受信しているか否か判定し、この判定が肯定された場合はステップ３５８に戻り、ステップ３５８，３６０の判定が肯定、又はステップ３６２の判定が否定される迄ステップ３５８〜３６２を繰り返す。
【００９７】
上記のように電子カセッテ１２からレーザ光によって画像データが送信され、この画像データが画像読出装置８４によって受信されると、データ読出処理（図１３）のステップ３０２の判定が肯定されてステップ３１０へ移行し、相手装置（電子カセッテ１２）から受信した画像データを後段（本実施の形態では画像処理部１２４）へ出力する。これにより、画像読出装置８４で受信された画像データは、画像処理部１２４によって各種の画像処理が行われた後に画像メモリ１２６に記憶される。次のステップ３１２では、相手装置（電子カセッテ１２）のデータ送信に対する応答をレーザ光によって送信し、ステップ３０２へ戻る。この応答が相手装置（電子カセッテ１２）で受信されることで、データ転送処理（図１４）のステップ３５８の判定が肯定され、ステップ３５２に戻る。このように、電子カセッテ１２の画像メモリ５０に転送対象の画像データが記憶されている間は、データ読出処理（図１３）ではステップ３０２〜ステップ３１２が繰り返され、データ転送処理（図１４）ではステップ３５２〜ステップ３６２が繰り返されることで、画像読出装置８４への画像データの転送が継続される。
【００９８】
また、画像メモリ５０に記憶されている画像データを全て画像読出装置８４へ送信すると、データ転送処理（図１４）のステップ３５４の判定が否定されてステップ３６４へ移行し、データ転送の完了をレーザ光によって相手装置（画像読出装置８４）へ通知する。またステップ３６６ではＬＤ５２からのレーザ光の射出を停止させる。そしてステップ３６８では、位置変化監視部８０に対して位置変化監視処理（図６）の終了を指示し、データ転送処理（図１４）を終了する。また、電子カセッテ１２からデータ転送の完了が通知されると、データ読出処理（図１３）では、ステップ３０４の判定が肯定されてステップ３１４へ移行し、ＬＤ８６からのレーザ光の射出を停止させる。そしてステップ３１６では、位置変化監視部１１６に対して位置変化監視処理（図６）の終了を指示し、データ読出処理（図１３）を終了する。
【００９９】
画像読出装置８４の位置変化監視部１１６が通信制御部１０８へ通信中止を指示した場合、データ読出処理（図１３）のステップ３０６の判定が肯定されてステップ３１８へ移行し、相手装置への定期的な無線信号の送信の停止を指示する。
【０１００】
ステップ３２０では、ＬＤ８６からのレーザ光の射出を停止させ、次のステップ３２２において、通信中止をその理由（ケーシングが大きく動いたこと等）と共に通知するエラーメッセージをディスプレイ１２０に表示させる等のエラー処理を行い、データ読出処理（図１３）を終了する。
【０１０１】
また、画像読取装置８４の無線送信部１４０からの定期的な無線信号の送信が停止した場合、データ転送処理（図１４）のステップ３６２が否定されてステップ３７０に移行し、相手装置への定期的な無線信号の送信の停止を指示する。ステップ３７２では、ＬＤ５２からのレーザ光の射出を停止させ、次のステップ３７４において、位置変化監視部８０に対して位置変化監視処理（図６）の終了を指示し、データ転送処理（図１４）を終了する。
【０１０２】
一方、電子カセッテ１２の位置変化監視部８０が通信制御部７２へ通信中止を指示した場合、データ読出処理（図１４）のステップ３６０の判定が肯定されてステップ３６２へ移行し、相手装置への定期的な無線信号の送信の停止を指示する。
【０１０３】
ステップ３７２では、ＬＤ５２からのレーザ光の射出を停止させ、データ転送処理（図１４）を終了する。
【０１０４】
また、電子カセッテ１２の無線送信部１３６からの定期的な無線信号の送信が停止した場合、データ読出処理（図１３）のステップ３０８が否定されてステップ３２４に移行し、相手装置への定期的な無線信号の送信の停止を指示する。ステップ３２６では、ＬＤ８６からのレーザ光の射出を停止させ、次のステップ３３８において、位置変化監視部１１６に対して位置変化監視処理（図６）の終了を指示し、エラーメッセージをディスプレイ１２０に表示させる等のエラー処理を行い、データ読出処理（図１３）を終了する。
【０１０５】
上記処理により、レーザ光の漏出に繋がる可能性がある電子カセッテ１２と画像読出装置８４との相対位置の変化を、電子カセッテ１２の位置変化監視部８０、及び画像読出装置８４の位置変化監視部１１６の何れが検知した場合にも、電子カセッテ１２からのレーザ光の射出、及び画像読出装置８４からのレーザ光の射出が各々停止されることになる。
【０１０６】
なお、上記の実施の形態では、電子カセッテ１２のケーシング２０の対向面６０のうち受光孔６４（及び射出孔６２）の周囲を含む一部領域が拡散部材６６で覆われていると共に、画像読出装置８４のケーシング９４の対向面９６のうち受光孔１００（及び射出孔９８）の周囲を含む一部領域も拡散部材１０２で覆われているので、電子カセッテ１２と画像読出装置８４との通信中に比較的大きな相対位置の変化が生じ、上述した処理によってレーザ光の射出が停止される迄の間に、電子カセッテ１２や画像読出装置８４から射出されるレーザ光が相手装置の対向面のうち受光孔から逸脱した位置に照射される状態が一時的に生じたとしても、相手装置の対向面に照射されたレーザ光は、当該レーザ光の照射位置に配設された拡散部材によって互いに異なる複数の方向へ各々反射されることで反射光が拡散されるので、反射されたレーザ光が電子カセッテ１２の対向面６０と画像読出装置８４の対向面９６に挟まれた空間から漏出した場合にも、空間外の特定の部位に照射されるレーザ光の光量を非常に微弱にすることができる。
【０１０７】
また、上記の実施の形態では電子カセッテ１２のケーシング２０の対向面６０のうち受光孔６４（及び射出孔６２）の周囲を含む一部領域、及び画像読出装置８４のケーシング９４の対向面９６のうち受光孔１００（及び射出孔９８）の周囲を含む一部領域を拡散部材６６、１０２で覆った態様を説明したが、これに限定されるものではなく、拡散部材に代えて、照射されたレーザ光の大半を吸収する吸収部材（例えば波長選択性を有する光学フィルタ（詳しくは照射されるレーザ光の波長域に対して光吸収性を有する光吸収フィルタ）、或いは、植毛部材や多孔質材、表面が黒色の部材等）で覆うようにしてもよい。例えば、光吸収物質を硝材中に分散させた構成により、電子カセッテ１２と画像読出装置８４との通信に好適なレーザ光の波長である１３００ｎｍの光に対する透過率が２０％（光路長１ｍｍ当りの光減衰率が８０％）程度の光吸収フィルタは市販されており、このような光吸収フィルタを用いたり、表面反射光を抑制するため前記光吸収フィルタの表面にＡＲコート等を施すことで、反射光を入射光の数％程度に抑制できる吸収材は実現可能である。
【０１０８】
拡散部材に代えて上記のような吸収部材を設けた場合にも、電子カセッテ１２と画像読出装置８４との通信中に比較的大きな相対位置の変化が生じ、相対位置の変化が検出されてレーザ光の射出が停止される迄の間、電子カセッテ１２や画像読出装置８４から射出されるレーザ光が相手装置の対向面のうち受光孔から逸脱した位置に照射される状態が一時的に生じたときに、照射位置が受光孔から逸脱したレーザ光が吸収部材に照射され、吸収部材によりその大半が吸収されることで、電子カセッテ１２の対向面６０と画像読出装置８４の対向面９６に挟まれた空間から漏出するレーザ光の光量を非常に微弱にすることができる。
【０１０９】
また、電子カセッテ１２と画像読出装置８４との間の通信に可視域外の波長の非可視レーザ光を用いる場合には、拡散部材６６、１０２に代えて、上記の一部領域を、非可視レーザ光の照射に伴い、照射された部分が可視域の光を発する発光（蛍光）部材で覆うようにしてもよい。例えばレーザ光の波長が赤外域である場合、上記の発光（蛍光）部材としてはＥｄｍｕｎｄ  Ｏｐｔｉｃｓ社製の近赤外用の光路確認蛍光シート（ＬＡＳＥＲ  ＤＥＴＥＣＴＩＯＮ  ＣＡＲＤ  ＩＲ）等を用いることができる。
【０１１０】
拡散部材に代えて上記のような発光（蛍光）部材を設けた場合、拡散部材や吸収部材のようなレーザ光量の低減効果は得られないものの、電子カセッテ１２と画像読出装置８４との通信中に比較的大きな相対位置の変化が生じ、相対位置の変化が検出されてレーザ光の射出が停止される迄の間、電子カセッテ１２や画像読出装置８４から射出される非可視レーザ光が相手装置の対向面のうち受光孔から逸脱した位置に照射される状態が一時的に生じたときに、照射位置が受光孔から逸脱した非可視レーザ光が発光（蛍光）部材に照射され、非可視レーザ光が照射された発光（蛍光）部材が発光する（可視光を発する）ことで、非可視レーザ光の照射位置が受光孔から逸脱したこと、及び電子カセッテ１２の対向面６０と画像読出装置８４の対向面９６とに挟まれた空間から非可視レーザ光が漏出している可能性があることを利用者に認識させることができ、空間外の特定の部位（レーザ光が照射されることが望ましくない部位）に漏出した非可視のレーザ光が照射されることを回避するための対策を利用者に講じさせることが可能となる。
【０１１１】
また、上記の実施の形態では距離センサ７６，１１２（距離検知手段）として、発光素子で光が射出されてから、射出された光が対象物で反射されて受光素子で受光される迄の時間に基づいて対象物との距離を検出する構成を説明したが、これに限定されるものではなく、発光素子から射出された光が対象物で反射されて受光素子で受光されたときの受光位置を検出し、検出した受光位置に基づき三角測量の原理により対象物との距離を検出する構成であってもよい。また、一定強度の電界を発生する電界発生部又は一定強度の磁界を発生する磁界発生部を相手装置側に設けておき、相手装置側の電界発生部又は磁界発生部で発生された電界又は磁界の強度を検出し、検出した強度に基づいて対象物との距離を検出する構成であってもよい。
【０１１２】
更に、距離検知手段は相手装置との距離を検知する構成に限られるものではなく、相手装置との距離が閾値以下か否かを検出又は推定する構成であってもよい。例えばレーザ光による通信を行う装置同士が、相手装置と接触しているか、又は、相手装置と非常に接近した状態でレーザ光による通信を行うように構成した等の場合には、例えば距離検知手段として、可動部材と、当該可動部材の変位を検出する変位検出部を備えた構成（例えばリミットスイッチ等）を用い、レーザ光による通信を行う装置同士を接触又は非常に接近させた状態で、前記可動部材が相手装置のケーシング(筐体)と接触されて変位されるように距離検知手段（リミットスイッチ等）を配置し、変位検出部によって可動部材の変位が検出されているか否か、すなわち相手装置との距離が閾値以下か否かを検出するように構成してもよい。
【０１１３】
また、レーザ光による通信を行う装置同士が、レーザ光以外の電磁波を用いて無線通信を行う無線通信部も備えており、この無線通信部による無線通信が、通信可能な装置間距離や装置同士の位置関係が限られていたり、装置間距離や装置同士の位置関係によって通信品質が大幅に変化する通信方式（例えば赤外線等を用いた無線通信）である場合は、距離検知手段を、前記無線通信において無線通信部によって検出された相手装置からの電磁波の強度や無線通信のエラー率（例えば相手装置へ情報の再送信を要求した頻度や、受信した情報に対して誤り訂正を行った頻度等）等の情報を取得し、取得した情報を所定値と比較した比較結果に基づいて、相手装置との距離が閾値以下か否か（或いは相手装置との位置関係が適正か否か）を推定するように構成することも可能である。
【０１１４】
また、距離検知手段はレーザ光による通信を行う自装置、及び相手装置のうちの一方にのみ設けてもよい。これは、自装置、及び相手装置の一方がレーザ光を射出して情報の送信を行い、他方が別の通信手段（例えば赤外線等）で情報送信を行う場合も同様である。この場合、自装置、及び相手装置のうちの一方にのみ設けた距離検知手段により、装置間の距離が所定値よりも大きくなったことが検出、又は推定された場合、距離検出手段が設けられている側の装置が、距離検出手段が設けられていない側の装置へ通信中止（レーザ光の射出停止）を指示する処理を行う（距離検出手段が設けられていない側の装置がレーザ光を射出しない構成であればこの処理は不要）と共に、自装置からのレーザ光の射出も停止させる処理を行う（距離検出手段が設けられている側の装置がレーザ光を射出しない構成であればこの処理は不要）ようにすればよい。
【０１１５】
また、距離検知手段に代えて、自装置、及び相手装置の受光孔の周辺の円環状の領域を検出領域とする周囲光センサを設け、周囲光センサによるレーザ光の受光量を検出することにより、自装置と相手装置との相対位置の変化を検出してもよい。また、距離検知手段と周囲光センサの双方を設けて相対位置の変化を検出してもよい。
【０１１６】
また、上記の実施の形態では自装置の位置変化監視部による位置変化監視処理により、レーザ光の漏出に繋がる可能性がある電子カセッテ１２と画像読出装置８４との相対位置の比較的大きな変化が検知された場合に、相手装置に対して通信中止を指示することで、相手装置からレーザ光の射出を停止させる態様を説明したが、これに限定されるものではなく、特に異常が無い間、自装置は定期的に所定の情報（この情報は、相手装置から送信された情報に対する正常応答で代用可能である）を相手装置へ送信し、所定の情報を受信している間はレーザ光による情報送信を行うように相手装置を構成しておき、相対位置の比較的大きな変化が検知された場合に、相手装置への所定の情報の送信を停止させることで、相手装置からのレーザ光の射出を停止させるように構成することも可能である。この場合、相対位置の比較的大きな変化が検知されてから相手装置のレーザ光の射出が停止される迄の時間は所定の情報の送信時間間隔に依存するので、所定の情報はなるべく短い時間間隔で送信するように構成することが望ましい。
【０１１７】
また、上記の実施の形態では、位置変化監視部による位置変化監視処理により、レーザ光の漏出に繋がる可能性がある電子カセッテ１２と画像読出装置８４との相対位置の比較的大きな変化が検知された場合に、電子カセッテ１２及び画像読出装置８４からのレーザ光の射出を各々停止させる態様を説明したが、これに限定されるものではなく、例えばランプを点灯させる、ブザーを鳴らす、ディスプレイ１２０に警報メッセージを表示させる、の少なくとも１つを行うことで利用者に警報を発し、利用者の注意を促すようにしてもよいし、レーザ光の射出停止と警報出力を各々行うようにしてもよい。
【０１１８】
また、上記の実施の形態では本発明に係る電子機器としての電子カセッテ１２及び画像読出装置８４が、各々レーザ光を射出して通信を行う態様を説明したが、通信を行う装置のうちの一方はレーザ光を射出して情報の送信を行い、他方は別の通信手段（例えば赤外線等）で情報送信を行うように構成してもよい。この場合、赤外レーザ光を用いた無線通信では非常に高い伝送速度が実現されていることを考慮すると、レーザ光を射出して情報の送信を行う装置としては、より多量の情報を送信する装置（例えば電子カセッテと画像読出装置であれば、画像データの送信を行う電子カセッテ）を選択することが望ましい。
【０１１９】
また、上記の実施の形態では本発明に係る電子機器の好例として電子カセッテ１２及び画像読出装置８４を説明したが、本発明はこれに限定されるものではなく、本発明は他の装置と無線通信を行う任意の電子機器に適用可能である。特に、赤外レーザ光を用いた無線通信では非常に高い伝送速度が実現されていることを考慮すると、少なくとも一方が可搬性を有し、かつ無線通信によって大量のデータを送受するか、又は、大量データの送受に対するニーズの高い電子機器が好適であり、例えば本発明に係る電子機器として、デジタルスチルカメラやデジタルビデオカメラ等の撮像装置と、これらの撮像装置から静止画像データや動画像データを受け取るＰＣやプリンタ等の機器を適用し、これらの間の無線通信をレーザ光によって行うようにしてもよいし、本発明に係る電子機器として、可搬性を有するスキャナと、スキャナから静止画像データを受け取るＰＣやプリンタ等の機器を適用し、これらの間の無線通信をレーザ光によって行うようにしてもよいし、本発明に係る電子機器として、静止画像や動画像の撮影機能及び音楽再生機能の少なくとも一方を備えた携帯機器（例えば携帯電話機やＰＤＡ等）を適用に、これらの携帯機器同士の画像データや音楽データの交換のための無線通信をレーザ光によって行うようにしてもよい。
【０１２０】
また、上記の実施の形態では赤外域の波長のレーザ光を照射するようにしていたが、レーザ光は赤外域以外の可視域外の波長の非可視レーザ光でもよい。
【図面の簡単な説明】
【０１２１】
【図１】第１の実施の形態に係る電子カセッテ及び画像読出装置の概略構成を示すブロック図である。
【図２】(Ａ)は放射線画像撮影時の電子カセッテの配置を示す概略図、(Ｂ)は電子カセッテの内部構造を示す斜視図である。
【図３】(Ａ)は電子カセッテの外観、(Ｂ)は画像読取装置の外観、(Ｃ)は電子カセッテからの画像読出時の電子カセッテ及び画像読出装置の配置を各々示す斜視図である。
【図４】データ読出処理の内容を示すフローチャートである。
【図５】データ転送処理の内容を示すフローチャートである。
【図６】第１の実施の形態に係る位置変化監視処理の内容を示すフローチャートである。
【図７】レーザ光の受光量に基づく位置変化の検知を説明するための概念図である。
【図８】距離検出値に基づく位置変化の検知を説明するための概念図である。
【図９】第２の実施の形態に係る電子カセッテ及び画像読出装置の概略構成を示すブロック図である。
【図１０】第２の実施の形態に係る位置変化監視処理の内容を示すフローチャートである。
【図１１】第３の実施の形態に係る電子カセッテ及び画像読出装置の概略構成を示すブロック図である。
【図１２】(Ａ)は電子カセッテの外観、(Ｂ)は画像読取装置の外観を各々示す斜視図である。
【図１３】第３の実施の形態に係るデータ読出処理の内容を示すフローチャートである。
【図１４】第３の実施の形態に係るデータ転送処理の内容を示すフローチャートである。
【符号の説明】
【０１２２】
１０  放射線画像取扱システム
１２  電子カセッテ
１４  放射線発生部
１６  被写体
２０  ケーシング
２２  照射面
２４  グリッド
２６  放射線検出器
２８  鉛板
３０  ケース
３２  アクティブマトリクス基板
３４  蓄積容量
３８  光電変換部
４０  画素部
４０  各画素部
４２  ゲート配線
４４  データ配線
４６  ゲート線ドライバ
４８  画素部
４８  信号処理部
５０  画像メモリ
５０  含有率
５２  ＬＤ
５６  ＰＤ
６０  側面
６０  対向面
６２  射出孔
６４  受光孔
６６  拡散部材
６８  変調部
７０  復調部
７２  通信制御部
７４  受光量検出部
７６  距離センサ
７８  検出孔
８０  位置変化監視部
８２  電源部
８４  画像読出装置
８６  ＬＤ
９０  ＰＤ
９４  ケーシング
９６  側面
９８  射出孔
１００      受光孔
１０２      拡散部材
１０４      変調部
１０６      復調部
１０８      通信制御部
１１０      受光量検出部
１１２      距離センサ
１１４      検出孔
１１６      位置変化監視部
１１８      操作部
１２０      ディスプレイ
１２２      キーボード
１２４      画像処理部
１２６      画像メモリ
１２８      出力制御部
１３０      ディスプレイ
１３２，１３４    エラー率検出部
１３６，１４０    無線送信部
１３７，１４１    射出孔
１３８，１４２    無線受信部
１３９，１４３    受光孔
【図１】
0005073519.tif 000002
【図２】
0005073519.tif 000003
【図３】
0005073519.tif 000004
【図４】
0005073519.tif 000005
【図５】
0005073519.tif 000006
【図６】
0005073519.tif 000007
【図７】
0005073519.tif 000008
【図８】
0005073519.tif 000009
【図９】
0005073519.tif 000010
【図１０】
0005073519.tif 000011
【図１１】
0005073519.tif 000012
【図１２】
0005073519.tif 000013
【図１３】
0005073519.tif 000014
【図１４】
0005073519.tif 000015